(57)【要約】【課題】遊技機島の高さを低く抑えることができ、しかも装置の保守点検が容易であり、更に、部品点数が少なく、コスト的に有利であるばかりか、遊技媒体の搬送流を制御し、強制的に補給シュートに遊技媒体を供給することによって、遊技媒体の搬送効率を向上させることが可能な水平搬送装置を提供するものである。【解決手段】遊技媒体を補給シュートを介して遊技機に供給する水平搬送装置であって、  搬送経路を設け遊技機島上に架設された補給レールと、該搬送経路に縦設された複数の回転ディスクと、回転ディスクに臨む如く配設された複数のガイドと、回転ディスクの駆動装置とを備え、搬送経路に供給された遊技媒体を回転ディスクの回転により、上流から下流に搬送するとともに、遊技媒体の搬送流をガイドにより制御したものである。【選択図】  図６
2005125029.tif 000002
【特許請求の範囲】
【請求項１】
遊技媒体を補給シュートを介して遊技機に供給する水平搬送装置であって、
前記水平搬送装置は、搬送経路を設け遊技機島上に架設された補給レールと、
該搬送経路に縦設された複数の回転ディスクと、
前記回転ディスクに臨む如く配設された複数のガイドと、
前記回転ディスクの駆動装置とを備え、
前記搬送経路に供給された遊技媒体を回転ディスクの回転により、上流から下流に搬送するとともに、
前記遊技媒体の搬送流をガイドにより制御した
ことを特徴とする、水平搬送装置。
【請求項２】
請求項１項に記載の水平搬送装置において、
前記ガイドと搬送経路の間に遊技媒体のバイパス流路を形成した
ことを特徴とする、水平搬送装置。
【請求項３】
請求項１項乃至請求項２項の何れかに記載の水平搬送装置において、
前記ガイドと搬送経路の側板との間にバイパス流路を形成した
ことを特徴とする、水平搬送装置。
【請求項４】
請求項１項または請求項３項に記載の水平搬送装置において、
前記ガイドと搬送経路の蓋との間にバイパス流路を形成した
ことを特徴とする、水平搬送装置。
【請求項５】
請求項１項乃至請求項４の何れかに記載の水平搬送装置において、
前記ガイドを前記回転ディスク上の第一象限の範囲内に配置した
ことを特徴とする、水平搬送装置。
【請求項６】
請求項１項乃至請求項５の何れかに記載の水平搬送装置において、
前記ガイドを回転ディスク上の第一象限内の回転ディスク中心近傍から回転ディスク外周近傍に至る範囲に、
回転ディスクの外周側が下流に位置するように傾斜させて配設した
ことを特徴とする、水平搬送装置。
【請求項７】
請求項１項乃至５項の何れかに記載の水平搬送装置において、
前記ガイドを、搬送経路の蓋または側板の少なくとも一方に固定して、前記回転ディスク上の第一象限の範囲内に臨ませるとともに、前記ガイドと前記蓋または側板との少なくとも一方との間にバイパス流路を形成した
ことを特徴とする、水平搬送装置。
【請求項８】
請求項１乃至請求項７の何れかに記載の水平搬送装置において、
前記ガイドは、略台形状のブロックに形成され、平行でない辺の一方に長辺側を三角形状に切除し、頂点に三角形状凸部を形成し、
前記三角形状凸部を回転ディスクの中心近傍に配設した
ことを特徴とする、水平搬送装置。
【請求項９】
請求項８に記載の水平搬送装置において、
前記ガイドは、前記三角形状凸部の前記略台形状長辺を回転ディスクの中心線上に対応させるとともに、
前記略台形状短辺側の一辺を複数の回転ディスクの中心を結ぶ水平軸線より離間させて、前記回転ディスク上の第一象限の範囲内に臨ませて配置した
ことを特徴とする、水平搬送装置。
【請求項１０】
請求項１乃至請求項７の何れかに記載の水平搬送装置において
前記ガイドは、不等辺直角三角形状のブロックに形成され、鋭角先端を回転ディスク中心部に、且つ直角先端を下流方向に位置するように、前記回転ディスク上の第一象限の範囲内に臨ませて配置した
【請求項１１】
請求項１乃至請求項７の何れかに記載の水平搬送装置において、
前記ガイドは、搬送経路の上流から下流方向に貫通したバイパス流路を形成した
チャンネル形状のブロックに形成され、一端を回転ディスク中心部に、他端を下流方向に位置するように、前記回転ディスク上の第一象限の範囲内に臨ませて配置した
ことを特徴とする、水平搬送装置。
【請求項１２】
請求項１乃至請求項１１の何れかに記載の水平搬送装置において、
前記ガイドを合成樹脂にて形成した
ことを特徴とする、水平搬送装置。
【発明の詳細な説明】
【技術分野】
【０００１】  本発明は、遊技媒体を遊技機島に配設された遊技機に搬送供給するための水平搬送装置に関する。
【背景技術】
【０００２】  一般的に、遊技媒体を遊技機島に配設されている遊技機に搬送供給するための搬送装置は、遊技媒体が補給経路の内部を上流から下流方向に下るように遊技機島の上方に傾斜させて配設されていて、その傾斜を利用して補給タンクから補給経路内に供給された遊技媒体を各々の遊技機に供給していた。しかしながら、このような傾斜した補給経路を有する搬送装置を備えた遊技機島は、遊技機島の上部が高く、しかも大きくなる傾向にある。このことは、遊技媒体の供給量が多く、また、補給経路が長くなるほど顕著に現れる傾向にある。このため、遊技機島が防犯カメラ視界の障害となる場合や、遊技場の照明が必要以上に多くなる等の問題点があるばかりか、遊技場の内装設備等の設計自由度が阻害される恐れがあった。【０００３】  このため、それらの問題点を解決するために、特許第２５１８４９０号（特許文献１）のような構成が開示されている。この構成は、固定経路部を流下してきたパチンコ玉を、駆動モータ２６（特許文献１中の符号）によって回転駆動される駆動ローラ２２（特許文献１中の符号）と、従動ローラ２３（特許文献１中の符号）と、その間に掛け渡された水平搬送ベルト２１（特許文献１中の符号）によって搬送するものであった。【０００４】  そして、この特許文献１おいては、パチンコ機２（特許文献１中の符号）にパチンコ玉を供給するために、補給経路１０（特許文献１中の符号）の側部に分離器４１（特許文献１中の符号）が設けられていた。この分離器４１には、分離器４１に隣設した膨出側壁４４（特許文献１中の符号）によって、水平搬送ベルト２１（特許文献１中の符号）で送られてきたパチンコ玉が振り分けられて供給されていた。【０００５】  この出願の発明に関連する先行技術文献としては次のものがある。
【特許文献１】      特許第２５１８４９０号（特開平６−３９１３６）
【非特許文献１】  なし
【発明の開示】
【発明が解決しようとする課題】
【０００６】  しかしながら、このような従来の水平搬送ベルト２１（特許文献１中の符号）によるパチンコ玉の搬送構造では、遊技機島の上部に補給経路を傾斜した配設した搬送装置に対して、遊技機島の上部が高く、且つ、大きくなる、また、遊技機島が防犯カメラの視界の障害となる、遊技場の内装設備等の設計自由度を阻害する等の問題点は解消されるが、水平搬送ベルト２１（特許文献１中の符号）に不都合が生じた場合にはベルト自体を停止させて修理する必要がある等、装置の保守点検が容易でない場合や、ベルトを張設する部品であるテンションローラ２４（特許文献１中の符号）やベルト支持部材２５（特許文献１中の符号）が必要となり、部品点数が増加してコストアップの要因となる恐れがあった。更に、水平搬送ベルト２１は、駆動ローラ２２（特許文献１中符号）と従動ローラ２３との間に無端状態で掛け渡されている。このためパチンコ玉の搬送を水平搬送ベルト２１（特許文献１中符号）の上側面を使用して行うにも係わらず装置として下側面も必須の構成要件となり遊技機島にはその部分を加味した上下方向のスペースを確保する必要があり、遊技機島の上部の高さを低くするには限度があった。【０００７】  更に、パチンコ玉は、樽状のテンションローラ２４（特許文献１中の符号）と板状のベルト支持部材２５（特許文献１中の符号）とを交互に設けて保持されている水平搬送ベルト２１（特許文献１中符号）を経由して補給経路１０（特許文献１中の符号）の側部に形成された玉待機経路部４０（特許文献１中の符号）に転出された後に膨出側壁４４（特許文献１中符号）によって、分離器４１（特許文献１中符号）に振り分けられていた。従って、パチンコ玉の搬送流は、水平搬送ベルト２１（特許文献１中の符号）から樽状のテンションローラ２４（特許文献１中の符号）の傾斜面を流れ、一旦玉待機経路部４０（特許文献中１の符号）に転出されたパチンコ玉は、後から搬送されてくるパチンコ玉の押圧力によって分離器４１（特許文１献中符号）へ振り分けられるものであるからパチンコ機２（特許文献１中の符号）の作動状態に対して機敏に対応することが困難であった。【０００８】  本発明は、上記の問題を解決するためになされたものであり、その目的は、遊技機島の高さを低く抑えることができ、しかも装置の保守点検が容易であり、更に、部品点数が少なく、コスト的に有利であるばかりか、遊技媒体の搬送流を制御し、強制的に補給シュートに遊技媒体を供給することによって、遊技媒体の搬送効率を向上させることが可能な水平搬送装置を提供するものである。
【課題を解決するための手段】
【０００９】  上記課題を解決するため、本発明においては、遊技媒体を補給シュートを介して遊技機に供給する水平搬送装置であって、前記水平搬送装置は、搬送経路を設け遊技機島上に架設された補給レールと、該搬送経路に縦設された複数の回転ディスクと、前記回転ディスクに臨む如く配設された複数のガイドと、前記回転ディスクの駆動装置とを備え、前記搬送経路に供給された遊技媒体を回転ディスクの回転により、上流から下流に搬送するとともに、前記遊技媒体の搬送流をガイドにより制御したものである。【００１０】  即ち、補給タンクから搬送経路内に供給された遊技媒体は、遊技媒体自身の押圧力及び回転ディスクの回転によって、補給タンク側の回転ディスク〜下流の回転ディスクに搬送される。この搬送された遊技媒体の流れ（以下、搬送流と称する）は、直接、次の回転ディスクに搬送される搬送流とガイドに沿って回転ディスクの回転中心方向と側板方向に分流された搬送流とに分流制御され、下流の回転ディスク上に搬送される。この時、この搬送流の一部は、補給シュートを介して、遊技機に供給される。【００１１】  このことにより、水平搬送装置の一部（回転ディスク、ガイド）が損傷した場合には、その部分のみ交換することで対応することができ、保守点検を迅速且つ容易に実施することができるばかりか、遊技媒体の搬送を回転ディスクの水平方向の回転のみで行うことができ、遊技機島の高さを低く抑えることができる。しかも搬送経路内に供給された遊技媒体は、回転ディスクの回転力、遊技媒体自身の押圧力、ガイドによる搬送流の制御によって搬送経路内で滞留することなく、効率的に遊技機に供給される。【００１２】  次の発明は、ガイドと搬送経路の間に遊技媒体のバイパス流路を形成したものである。【００１３】  このことにより、遊技媒体の搬送流の一部がバイパス流路を通過することによって、遊技媒体がガイドで、堰き止められ、滞留することもなく、スムースな搬送流を得ることができるばかりか、ガイドに加わる遊技媒体の押圧力を緩和し、ガイドの損傷を防止することができる。【００１４】  更に、次の発明は、前記ガイドと搬送経路の側板との間にバイパス流路を形成した
ことを特徴とする、水平搬送装置。【００１５】  このことにより、回転ディスクの回転力が及ばず側板近傍に滞留し易い遊技媒体も、他の遊技媒体の干渉により、バイパス流路を通過し、補給シュートへ供給されたり、他の搬送流と合流することによって、搬送経路内に滞留されること恐れが軽減される。【００１６】  更に、次の発明は、前記ガイドと搬送経路の蓋との間にバイパス流路を形成したものである。【００１７】  このことにより、滞留した遊技媒体は、上方へ浮き上がってバイパス流路に逃げるため、平面上に押さえ込まれて滞留することがなく、スムースに搬送される。【００１８】  更に、次の発明は、前記ガイドを回転ディスク上の第一象限内の回転ディスク中心近傍から回転ディスク外周近傍に至る範囲に、回転ディスクの外周側が下流に位置するように傾斜させて配設したものである。【００１９】  このことにより、回転ディスクの回転方向に搬送された遊技媒体は、ガイドに当接し、ガイド側部に沿って流れる搬送流と、バイパス流路を通過する搬送流とに制御され、搬送経路内に滞留することが防止される。【００２０】  更に、次の発明は、前記ガイドを、搬送経路の蓋または側板の少なくとも一方に固定して、前記回転ディスク上の第一象限の範囲内に臨ませるとともに、前記ガイドと前記蓋または側板との少なくとも一方との間にバイパス流路を形成したものである。【００２１】  このことにより、ガイドの長さを回転ディスクの半径と略同寸の長さに形成することができ、ガイドの小型化とバイパス流路に流れる遊技媒体の搬送量の制御が図れる。【００２２】  更に、次の発明は、ガイドは、略台形状のブロックに形成され、平行でない辺の一方に長辺側を三角形状に切除し、頂点に三角形状凸部１６を形成し、前記三角形状凸部１６を回転ディスクの中心近傍に配設したものである。【００２３】  このことにより、回転ディスク上に搬送された遊技媒体は、各略台形状の交点に形成された凸部に加え、三角形状凸部１６により、分流制御され、搬送経路内部に滞留することなく効率的に下流に搬送される。【００２４】  更に、次の発明は、前記ガイドは、前記三角形状凸部１６の前記略台形状長辺を回転ディスクの中心線上に対応させるとともに、前記略台形状短辺側の一辺を複数の回転ディスクの中心を結ぶ水平軸線より離間させて、前記回転ディスク上の第一象限の範囲内に臨ませて配置したものである。【００２５】  このことにより、回転ディスク上を下流方向に直線的に搬送される遊技媒体が増加し、結果として遊技媒体の搬送量を増加させることができる。【００２６】  更に、次の発明は、前記ガイドは、搬送経路の上流から下流方向に貫通したバイパス流路を形成したチャンネル形状のブロックに形成され、一端を回転ディスク中心部に、他端を下流方向に位置するように、前記回転ディスク上の第一象限の範囲内に臨ませて配置したものである。【００２７】  このことにより、蓋、側板の形状、位置に関係なくガイドを回転ディスクに臨まして配置することができ、ガイドの汎用性を高めることができる。【００２８】  更に、次の発明は、前記ガイドを合成樹脂にて形成したものである。【００２９】  このことにより、ガイドの軽量化と騒音の低下が図れる。
【発明の効果】
【００３０】以上のように、本発明によれば、遊技媒体を補給シュートを介して遊技機に供給する水平搬送装置であって、前記水平搬送装置は、搬送経路を設け遊技機島上に架設された補給レールと、該搬送経路に縦設された複数の回転ディスクと、前記回転ディスクに臨む如く配設された複数のガイドと、前記回転ディスクの駆動装置とを備え、  前記搬送経路に供給された遊技媒体を回転ディスクの回転により、上流から下流に搬送するとともに、
前記遊技媒体の搬送流をガイドにより制御することにより、水平搬送装置の一部（回転ディスク、ガイド）が損傷した場合には、その部分のみ交換することで対応することができ、保守点検を迅速且つ容易に実施することができるばかりか、遊技媒体の搬送を回転ディスクの水平方向の回転のみで行うことができ、遊技機島の高さを低く抑えることができる。しかも搬送経路内に供給された遊技媒体は、回転ディスクの回転力、遊技媒体自身の押圧力、ガイドによる搬送流の制御によって搬送経路内で滞留することなく、効率的に遊技機に供給することが可能な水平搬送装置を提供することができる。
【発明を実施するための最良の形態】
【００３１】  以下、本発明を実施するための最良の形態を、図面に基づいて説明する。図１は、本発明の実施例１に係わる水平搬送装置を示した要部概略平面図である。図２は、本発明の実施例１に係わる水平搬送装置を示した要部概略正面図である。図３は、本発明の実施例１に係わる水平搬送装置を示した要部概略側面図である。図４は、本発明の実施例１に係わる要部平面図である。図５は、本発明の実施例１に係わる水平搬送装置の回転ディスクとガイドの関係を示した分解斜視図である。図６は、本発明の実施例１に係わるガイドを示した斜視図である。図７は、本発明の実施例１に係わる水平搬送装置の回転ディスクとガイドと遊技媒体の搬送流を示した要部説明図である。【００３２】  本発明の水平搬送装置１は、図１４に示した様な、一般的な遊技機島１００上に水平に架設されている。この遊技機島１００には、本発明の水平搬送装置１の他に、補給タンク１０１、遊技機１０２、補給シュート１０３、循環ホース１０４、下タンク１０５、研磨塔を兼ねる揚送装置１０６等を備えている。そして、遊技媒体１０７は、補給タンク１０１から水平搬送装置１内に供給され、下流に向かって搬送される。この間に、遊技媒体１０７の一部は、補給シュート１０３を介して遊技機１０２に供給され、残りの遊技媒体１０７は、循環ホース１０４、下タンク１０５、研磨塔を兼ねる揚送装置１０６を経由して補給タンク１０１に環流される。
【実施例１】
【００３３】  図２に示すように、遊技機島１００の枠体１１０には、遊技機１０２（図１４参照）の配設枠１１１と、その上部に画成された水平搬送装置１の架設空間１１２とが設けられる。【００３４】  水平搬送装置１は、上記の架設空間１１２の内部の補給タンク１０１から循環ホース１０４に至る範囲（図１４参照）に架設されている。【００３５】  この水平搬送装置１には、補給レール１０と、該補給レールの内部に配設された複数の回転ディスク２０ａ、２０ｂ、・・・２０ｅと嵌合プレート８０並びに遊技媒体１０７の搬送流Ｒ１〜Ｒ５を制御するガイド４０と、補給レール１０を覆う蓋１４と、回転ディスク２０ａ、２０ｂ、・・・２０ｅを駆動するための駆動装置３０と、該駆動装置３０の収納ケース６０とが備えられている。【００３６】  補給レール１０は、図３乃至図６に示しように、底板１１と、その両端に立設された側板１２と、側板１２の開放側を外方に折曲して形成した蓋１４の取付片１３とを備えた断面チャンネル状の長尺レールに形成されている。そして、この底板１１には、回転ディスク２０ａ、２０ｂ、２０ｃ、２０ｄ、２０ｅの嵌合凹部８１を形成した嵌合プレート８０が敷設されていて、蓋１４と側板１２と嵌合プレー８０とで搬送経路７０を画成している。尚、前述の蓋１４は、側板１２に形成された取付片１３にスクリュー１５で着脱可能に取付けているが、図示しないが蓋１４に嵌合凹部を形成し、その嵌合凹部を側板１２の上縁に嵌合し、スクリュー１５を削減することもできる。また、この側板１２の外側には、遊技機１０２に遊技媒体１０７を供給するための補給シュート１０３が適宜間隔で取付けられている。尚、この補給シュート１０３の取付数、位置は、遊技機１０２の数、配置によって、補給経路７０の両側、片側、回転ディスク２０ａ、２０ｂ、２０ｃ、２０ｄ、２０ｅに対応する数、回転ディスク２０ａ、２０ｂ、２０ｃ、２０ｄ、２０ｅに対して１つおきに配置する等任意に設定される。【００３７】  補給レール１０の底板１１の下面には、収納ケース６０の底板６１に設けられた回転ディスク２０ａ、２０ｂ、・・・２０ｅの軸受６５に対応する軸受７５とアイドルギア３５の軸受６６に対向する軸受７６とが設けられている。
回転ディスク２０ａ、２０ｂ、２０ｃ、２０ｄ、２０ｅの回転軸２１は、軸受６５と軸受７５に回転可能に軸支されていて、一方の軸受７５側の端部を補給レール１０の底板１１に形成された貫通孔から搬送経路７０の内部に突出させて、回転プレート２３に形成した長孔２３ａに嵌合させ、この回転プレート２３を介して、回転ディスク２０ａ、２０ｂ、２０ｃ、２０ｄ、２０ｅに回転軸２１の回転を伝達している。この底板１１の上面には、回転ディスク２０ａ、２０ｂ、・・・２０ｅを嵌合する合成樹脂製の嵌合プレート８０が取付けられている。【００３８】  嵌合プレート８０は、合成樹脂製（ポリアセタール，ＡＢＳ，ＰＰ、ポリアミド、高分子ポリエチレン、ポリカーボネイト等）の長尺な平板状に形成されていて、回転ディスク２０ａ、２０ｂ、・・・２０ｅの嵌合凹部８１を設けている。この嵌合凹部８１の底面８２には、回転プレート２３の収納孔８３と該収納孔８３に臨む２箇所の対向する切り欠き８４とが形成されている。【００３９】  収納ケース６０は、底板６１とその両端に立設された側板６２とを備え、上方を開放した断面チャンネル形状の長尺レール状に形成され、内部に駆動装置３０を収納している。また、この底板６１の外面には、取付ブラケット１１３への取付凸部６３が適宜形成されている。【００４０】  この収納ケース６０の底板６１内面には、上流（補給タンク１０１側）側に水平搬送装置１を取付ブラケット１１３へ固定するための固定台座６４を設けるとともにこの固定台座６４から下流方向に、一定の間隔を隔てて回転ディスク２０ａ、２０ｂ、・・・２０ｅの回転軸２１を軸支するための軸受６５を複数設けている。更に、これらの軸受６５の中間には、軸受６５を結ぶ中心線に対して偏移した位置にアイドルギア３５の軸受６６が設けられている。【００４１】  前述した補給レール１０の幅は、収納ケース６０と比較して幅広に形成され、収納ケース６０の開放側に載置され任意の方法で組み付けられている。そして、この収納ケース６０は、取付ブラケット１１３によって、遊技機２の配設枠１１１に取付けられている。このことによって、水平搬送装置１は、遊技機島１００に画成された架設空間１１２の内部に配設される。【００４２】  回転ディスク２０ａ、２０ｂ、・・・２０ｅは、図５に示すように、合成樹脂製（ポリアセタール，ＡＢＳ，ＰＰ、ポリアミド、高分子ポリエチレン、ポリカーボネイト等）の円盤２２と、金属製の回転プレート２３とより構成されている。この円盤２２は、嵌合プレート８０に形成された嵌合凹部８１に嵌合された後、回転プレート２３を介して、スクリュー２４で回転軸２１にネジ止めされている。そして、回転軸２１の回転は、回転軸２１の貫通孔から嵌合凹部８１内に突出した部分に回転プレート２３の長孔２３ａを嵌合し、更に、その回転プレート２３のその表面に突出形成された凸部２６を回転ディスク２０ａ、２０ｂ、・・・２０ｅの裏面に凹設された凹部２５に嵌合させることによって、回転ディスク２０ａ、２０ｂ、・・・２０ｅへ伝達される。【００４３】  駆動装置３０は、水平搬送装置１の上方に、遊技媒体１０７の搬送方向と直行して配設された直交軸ギアモータ３１と、この直行軸ギアモータ３１の出力軸３２に固定された駆動ギア３３と、複数の伝達ギア３４ａ、３４ｂ・・・３４ｅと、この伝達ギア３４の間に配設された複数のアイドルギア３５ａ、３５ｂ、３５ｃ、３５ｄとより構成されている。この伝達ギア３４は、回転ディスク２０ａ、２０ｂ、・・・２０ｅの回転軸２１に固定されていて、収納ケース６０の底板６１と搬送経路７０の底板７１に設けられた軸受６６と軸受７６に回転可能に軸支されている。そして、最も上流（補給タンク１０１側）の伝達ギア３４ａは、直行軸ギアモータ３１の出力軸３２に噛み合っている。また、アイドルギア３５ａ、３５ｂ、３５ｃ、３５ｄは、その回転軸３６を収納ケース６０の底板６１と搬送経路７０の底板７１に設けられた軸受６５と軸受７５に回転可能に軸支されている。そして、各々のアイドルギア３５ａ、３５ｂ、３５ｃ、３５ｄは、伝達ギア３４ｄと３４ｅの間にアイドルギア３５ｄが位置するように配設され、各々伝達ギア３４ａ、３４ｂ・・・３４ｅと噛合している。従って、全ての伝達ギア３４ａ、３４ｂ・・・３４ｅは、アイドルギア３５ａ、３５ｂ、３５ｃ、３５ｄの機能によって、駆動ギア３３の回転と反対回転の回転する。このため、回転ディスク２０ａ、２０ｂ、・・・２０ｅも同方向に回転する。実施の形態では、駆動ギア３３は時計方向に回転している。このため、伝達ギア３４ａ、３４ｂ・・・３４ｅと回転ディスク２０ａ、２０ｂ、・・・２０ｅは反時計回りに回転している。【００４４】  これらの駆動装置として、一般的なモータを用い、ウォームギア、平歯車等の公知の伝達機構を介して回転ディスクを駆動する構造や、回転ディスク毎に駆動装置を配設する方法、等任意の方法を採用しても良い。  更に、伝達ギア３４ａ、３４ｂ・・・３４ｅと、アイドルギア３５ａ、３５ｂ、３５ｃ、３５ｄの組合せを採用しているが、平歯車同士、タイミングベルトなど他の手段を用いても良い。【００４５】  ガイド４０は、三角形状凸部１６を平面上直角三角形に形成し（以下、直角三角形状凸部と称する）、その長辺１１と該長辺と平行な短辺１２と長辺と短辺を結ぶ斜辺１３とその斜辺１３に対向する斜辺１４を有する概ね台形状のブロックに形成されている。そして、斜辺１４側には、長辺１１側を直角三角形状に切除し、長辺１１に対して直角方向に折曲した折曲辺１５が形成されている。従って、斜辺１４には、頂点が直角を成す直角三角形状凸部１６が形成されることになる。そして、ガイド４０の上面１７には、ガイド４０を蓋１４に取付けるためのスクリュー１５を螺合する一対のねじ孔１８が螺設されている。【００４６】  このガイド４０は、回転ディスク２０ａ、２０ｂ、・・・２０ｅ、例えば回転ディスク２０ｂで説明すると、図４に示すように、回転ディスク２０ｂの上面を回転ディスク２０ａ、２０ｂ、・・・２０ｅの中心を結ぶ中心線Ｖ−Ｖとその中心線に直交する中心線Ｈｂ−Ｈｂとによって、第一象限〜第四象限とに分割された第一象限の範囲に配設される。【００４７】次に、図４と図７を用いて、実施例１のガイド４０について、回転ディスク２０ｂとの位置関係と具体的な構成とについて説明する。
図４において、
回転ディスク２０ｂの中心：Ｏｂ、
長辺１１と斜辺１３の交点：Ｐ１、
短辺１２と斜辺１３の交点：Ｐ２、
短辺１２と斜辺１４の交点：Ｐ３、
斜辺１４と折曲辺１５の交点：Ｐ４、
長辺１１と中心線Ｈｂ−Ｈｂとの交点：Ｐ５、
長辺１１と短辺１２の高さ：ｈ、
高さｈの中心線（中心線二等分線）：ｈ１−ｈ１とすると、
ガイド４０の各辺の長さは作図上、次のような条件にて求められる。
例えば、回転ディスク２０ｂの半径を７４ｍｍとし、ガイド４０の長辺１１と短辺１２の高さｈ＝２４ｍｍに設定とする。
１：長辺１１を中心線Ｈｂ−Ｈｂ側に、短辺１２を中心線Ｖ−Ｖに位置させ、中心線ｈ１−ｈ１が回転ディスク２０ｂの中心Ｏｂを通り、４５度傾斜するように設定する。即ち、長辺１１と短辺１２は、中心線ｈ１−ｈ１に対して対称な間隔で平行に設定される。
２：斜辺１４と折曲辺１５の交点：Ｐ４を中心線Ｈｂ−Ｈｂ上に上方にｈ２＝５ｍｍ移動した位置に設定する。
３：交点Ｐ４から中心線Ｖ−Ｖに平行に下流の外周方向に短辺１２との交点Ｐ３まで描く。このＰ３〜Ｐ４間を斜辺１４（作図上略２２ｍｍ）として設定する。
４：長辺１１と中心線Ｈｂ−Ｈｂとの交点：Ｐ５と斜辺１４と折曲辺１５の交点：Ｐ４間を折曲辺１５（作図上略１４ｍｍ）と設定する。
この時点に於いてガイド４０の直角三角形凸部１６側の平面形状が決定される。【００４８】  次に、回転ディスク２０ｂの外周とガイド４０の長辺１１、短辺１２並びに斜辺１３の関係について説明する。
１：長辺１１の長さは、回転ディスク２０ｂの外周から５ｍｍ内側までの長さに設定されている。
２：斜辺１３の長さは、長辺１１との交点Ｐ１から１５度回転ディスク２０ｂの中心Ｏｂ方向に傾斜させて描かれた直線と端辺１２との交点Ｐ２の間に設定される。（作図上略２６ｍｍ）尚、因みに遊技媒体（パチンコ玉）に径は１１ｍｍである。【００４９】  そして、ガイド４０は、前述した平面形状を上面と下面にして、任意の厚さ（２０ｍｍ）を持ったブロック状に形成したものである。【００５０】  次に、図４並びに図６より、水平搬送装置１におけるガイド４０の配置と遊技媒体１０７の搬送流Ｒ１１〜Ｒ１５について詳述する。
本発明の実施例１では、ガイド４０は、回転ディスク２０ａ、２０ｂ、・・・２０ｅに対応して配置されている。このガイド４０は、図４に示すように、回転ディスク２０ａ、２０ｂ、・・・２０ｅの中心を結ぶ中心線Ｖ−Ｖと直交する各回転ディスクの中心線Ｈａ−Ｈａ、・・・・Ｈｅ−Ｈｅに対して、直角三角形状凸部１６の折曲辺１５を対応させて中心線Ｖ−Ｖから各回転ディスクの中心線Ｈａ−Ｈａ、・・・・Ｈｅ−Ｈｅの上方に離間して配置する。一方、長辺１１と斜辺１３の交点Ｐ１を回転ディスク２０ａ、２０ｂ、・・・２０ｅの外周から中心方向に離間させて配置する。その結果、斜辺１３は、回転ディスク２０ａ、２０ｂ、・・・２０ｅの回転方向に上り傾斜している。そして、このガイド４０は、回転ディスク２０ａ、２０ｂ、・・・２０ｅの表面に間隔を空けて臨むように設定され、蓋１４の裏面にスクリュー１５を取付ねじ孔１８（図６参照）に螺合することによって取付けられている。（尚、取付方法は、スクリューに限定されることなく、接着等任意の方法で良い）このことによって、ガイド４０と補給ケース１０の側板１２との間にバイパス流路４４が形成される。尚、補給シュート１０３は、補給レール１０の両側に回転ディスク２０ａ、２０ｂ、・・・２０ｅにたいして、一つおきに配設されている。【００５１】  図６に示すように、補給タンク１０１から傾斜した通路を経て搬送経路７０に供給された遊技媒体１０７は、滑降力によって、まず、回転ディスク２０ａの上面に転動される。この転動された遊技媒体１０７は、主にＲ１１〜Ｒ１５の５つの搬送流に分流され、或いは合流されつつ下流の回転ディスク２０ｂ、２０ｃ・・・に順次送りこまれる。その過程で、一部の遊技媒体１０７は、補給シュート１０３を介して遊技機１０２に供給され、残りの遊技媒体１０７は、循環ホース１０４、下タンク１０５、研磨塔を兼ねる揚送装置１０６を経由して補給タンク１０１に還流する。【００５２】  回転ディスク２０ａに供給された遊技媒体１０７の搬送流の内、搬送流Ｒ１１は、ガイド４０が配置されていない側（第３、第４象限側）の側板１２に沿って下流に流れる搬送流で、補給シュート１０３に、直接あるいは回転ディスク２０ａによって回転した他の遊技媒体１０７によって押されて間接的に供給される。【００５３】  搬送流Ｒ１２は、回転ディスク２０ａの回転によって、ガイド４０の短辺１２の側部に沿って下流の回転ディスク２０ｂに送られるものであり、交点Ｐ２で回転ディスク２０ａに乗って、バイパス４４にながれる搬送流Ｒ１４に分流される。【００５４】  搬送流Ｒ１３は、搬送流Ｒ１４によって、補給シュート１０３に供給された遊技媒体１０７がガイド４０の長辺１１の側部に沿ってながれ、搬送流Ｒ１１に合流する流れである。【００５５】  搬送流１４は、前述したバイパス４４を通過する搬送流Ｒ１４と下流の回転ディスク２０ｂから送られた搬送流Ｒ１５が合流した流れである。この時、バイパス４４を通過する遊技媒体１０７の搬送量は、ガイド４０の斜辺１３の傾斜によって、回転ディスクの回転力による流速に対して減速され、かつ側板１２との間隔も絞られているため、適度な量に調整され、残りは下流に搬送される。【００５６】  搬送流Ｒ１５は、下流の回転ディスク２０ｂの回転により、上流の回転ディスク２０ａに押しもどされた搬送流である。この流れは、前述した搬送流Ｒ１４に合流され、最終的には下流に運ばれる。【００５７】  当然のことながら、搬送流Ｒ１１〜Ｒ１５は、明確に区分されているものでもなく、単独で流れるものでもない。それらは、互いに干渉しあって流れ、遊技媒体１０７を補給シュート１０３に供給したり、搬送経路７０内を循環したりする。
【実施例２】
【００５８】  図８は、本発明の実施例２に係わるガイド５０を示したもので、（ａ）は、平面図、（ｂ）は、正面図、（ｃ）は、側面図である。図９は、本発明の実施例２に係わる水平搬送装置の回転ディスクとガイドの関係を示した分解斜視図である。図１０は、本発明の実施例２に係わる水平搬送装置の回転ディスクとガイドと遊技媒体の搬送流を示した説明図である。図１１は、本発明の実施例２に係わるガイドの変形例を示した正面図である。
尚、本発明の水平搬送装置の実施例１と類似した構成には、同符号を付して詳細な説明は省略する。【００５９】  ガイド５０は、図８（ａ）、（ｂ）、（ｃ）に詳述するように、平板状の本体５１とその両端に台形柱状に立設された取付部５２，５３を合成樹脂でチャンネル状に一体成形されている。そして、本体５１と取付部５２，５３によって形成された凹部にバイパス流路５４を形成している。
尚、５５は、成形時の変形を防止するための肉盗み、５６は、遊技媒体１０７を乗り上げ易くするための面取りである。また取付部５２の底面には、突出部５７が設けられている。この突出部５７は、ガイド５０に上方から負荷が加わった時、本体５１と回転ディスク２０ａ、２０ｂ、・・・２０ｅの表面とが接触するのを回避させるためのものである。そして、１５はスクリュー、１８は、その取付ねじ孔である。【００６０】  次に、図１０より、水平搬送装置１におけるガイド５０の実施例２について、その配置と遊技媒体１０７の搬送流Ｒ２１〜Ｒ２５について詳述する。【００６１】  本発明の実施例２は、実施例１同様に、回転ディスク２０ａ、２０ｂ、・・・２０ｅに対応する数だけガイド５０が配置されている。このガイド５０は、回転ディスク２０ａ、２０ｂ、・・・２０ｅの中心を結ぶ中心線Ｖ−Ｖと直交する各回転ディスクの中心線Ｈａ−Ｈａ、・・・・Ｈｅ−Ｈｅに対して、先端（取付部５２側）を回転中心側近傍に位置させ、後端（取付部５３側）を下流方向に略３０度傾斜させ、且つ本体５１を回転ディスク２０ａ、２０ｂ、・・・２０ｅの表面に間隔を空けて臨むように設定され、蓋１４の裏面にスクリュー１５を取付ねじ孔１８（図６参照）に螺合することによって取付けられている。（尚、取付方法は、スクリューに限定されることなく、接着等任意の方法で良い）このことによって、ガイド５０と補給ケース１０の側板１２との間には、バイパス流路５４に加え、実施例１同様に、回転ディスク２０ａ、２０ｂ、・・・２０ｅと側板１２との距離に相当する間隔を有するバイパス流路４４も形成されている。【００６２】  補給タンク１０１から傾斜した通路を経て搬送経路７０に供給された遊技媒体１０７は、滑降力によって、回転ディスク２０ａの上面に転動される。この転動された遊技媒体１０７は、主に搬送流Ｒ２１〜Ｒ２５の５つに分流され、或いは合流され下流の回転ディスク２０ｂ、２０ｃ・・・に送りこまれる。その過程で、一部の遊技媒体１０７は、補給シュート１０３を介して遊技機１０２に供給され、残りの遊技媒体１０７は、循環ホース１０４、下タンク１０５、研磨塔を兼ねる揚送装置１０６を経由して補給タンク１０１に還流する。【００６３】  搬送流Ｒ２１は、ガイド５０が配置されていない側の側板１２に沿って下流に流れる搬送流で、補給シュート１０３には、直接あるいは回転ディスク２０ａによって回転した他の遊技媒体１０７によって押されて供給される。【００６４】  搬送流Ｒ２２は、回転ディスク２０ａの回転によって、回転中心方向に送られるものであり、ガイド５０の側部に沿って下流の回転ディスク２０ｂにおくられ、搬送流Ｒ２１を側方より押圧する力が作用する。この作用により、搬送流Ｒ２２によって流れる遊技媒体１０７自身あるいは搬送流Ｒ２１による遊技媒体１０７を押圧して、遊技媒体１０７を補給シュート１０３に供給する。【００６５】  搬送流Ｒ２３は、搬送流２と同様に回転ディスク２０ａの回転によって、ガイド５０の側部に当接した遊技媒体１０７のうち、バイパス流路５４を通過して、ガイド４０の反対側のながれた遊技媒体１０７である。この遊技媒体１０７は、回転ディスク２０ａの回転によって、搬送流Ｒ２１に合流する。【００６６】  搬送流２４は、ガイド５０とガイド５０の取付けられている方の側板１２との間に形成されたバイパス流路４９を流れる遊技媒体１０７の流れである。この搬送流１４は、回転ディスク２０ａの回転によって搬送された遊技媒体１０７と下流の回転ディスク２０ｂによって搬送された遊技媒体１０７が混流している。【００６７】  搬送流２５は、下流の回転ディスク２０ｂの回転により、上流の回転ディスク２０ａにおしもどされた搬送流である。この流れは、前述した搬送流Ｒ２１〜Ｒ２４に合流され、最終的には下流に運ばれる。【００６８】  当然のことながら、搬送流Ｒ１１〜Ｒ１５は、明確に区分されているものでもなく、単独で流れるものでもない。それらは、互いに干渉しあって流れ、遊技媒体１０７を補給シュート１０３に供給したり、循環させたりする。【００６９】    図７は、本発明に水平搬送装置１に用いたガイド５０の別の形態を示したものである。尚、第１の実施の形態と同一構成には同一符号を付して説明は省略する。このガイド５０ａは、本体５１とその一端（側板７２側）に立設した取付部５３をＬ字状に合成樹脂で一体成形し、本体５１の上部にバイパス流路５４を形成した構成を有し、ガイド５０とほゞ同様な搬送流を形成する。
【実施例３】
【００７０】  本発明の水平搬送装置１の実施例３は、実施例１に対してガイドの形状が異なる構成で、他の構成は実施例１と同一のため説明を省略する。尚、説明上実施例１と類似した構成には、同符号を付した。【００７１】  ガイド９０は、図１２、図１３に示すように、合成樹脂で直角三角形の板状に形成されスクリュー１５を取付ねじ孔１８に螺合することによって、蓋１４に取付けられている。そして、このガイド９０は、回転ディスク２０ａ、２０ｂ、２０ｃ、２０ｄ、２０ｅの上面に間隔を保って臨み、そして、直角三角形の斜辺が搬送経路７０の側板１２に対して上流方向に略３０度傾斜するように配置される。従って、直角の頂点は、下流方向に向いている。また、ガイド５５の回転ディスク２０ａ、２０ｂ、２０ｃ、２０ｄ、２０ｅに上面に臨む範囲は、ガイド９０の鋭角側先端が円盤２２の固定用スクリュー２４の外周近傍に、鈍角側垂直面が回転ディスク２０ａ、２０ｂ、２０ｃ、２０ｄ、２０ｅの外周近傍に至る範囲である。このため、ガイド９０と側板１２の間に回転ディスク２０ａ、２０ｂ、２０ｃ、２０ｄ、２０ｅと側板１２の間隔に相当する間隔のバイパス流路４４が形成される。【００７２】  尚、実施例１を含めて、ガイド４０とガイド９０の形状を略台形状、チャンネル状、Ｌ字状、直角三角形状で説明したが、これらのガイド４０、ガイド５０、ガイド９０の形状は、楕円形、円形等任意の設定することができる。要は、ガイド４０、ガイド９０と搬送経路７０を構成する補給ケース１０の側板１２との間にバイパス流路４４とガイド５０に形成されたバイパス流路４９に相当するバイパス流路を形成し、そのバイパス流路を任意に選択採用することによって、遊技媒体１０７が搬送経路７０の内部で効率的にながれ、搬送経路７０内で滞留されなければ良い。【００７３】  次に、搬送流Ｒ３１〜Ｒ３４について図１３を用いて説明する。搬送流Ｒ３１は、ガイド９０が配置されていない側の側板１２に沿って下流に流れる搬送流で、補給シュート１０３には、直接あるいは回転ディスク２０ａによって回転した他の遊技媒体１０７によって押されて供給される。【００７４】  搬送流Ｒ３２は、回転ディスク２０ａの回転によって、ガイド９０の側部に沿って斜め前方に送られるものであり、搬送流Ｒ３１とは反対側下流に配設された補給シュート１０３へ遊技媒体１０７を供給する。【００７５】  搬送流Ｒ３３は、搬送流３２と同様に回転ディスク２０ａの回転によって、ガイド９０の側部に当接した遊技媒体１０７で、回転ディスク２０ａの中心方向に流れるものと直角三角形の直角側頂点方向に流れるものであり、搬送流Ｒ３１や下流の回転ディスク２０ｂから流れてくる遊技媒体１０７に合流する。そして、搬送流Ｒ３１とは反対側上流に配設された補給シュート１０３へ遊技媒体１０７を供給する。【００７６】  搬送流Ｒ３４は、ガイド９０の長辺と短辺に沿って流れ、ガイド９０の取付けられている方の側板１２との間に形成されたバイパス流路４４を通過する。この搬送流Ｒ３４は、回転ディスク２０ａの回転によって搬送された遊技媒体１０７と下流の回転ディスク２０ｂによって搬送された遊技媒体１０７が混流しているが、最終的には一部が補給シュート１０���に供給され、残りは搬送流Ｒ３１に合流し、下流に搬送される。【００７７】  当然のことながら、搬送流Ｒ３１〜Ｒ３４は、明確に区分されているものでもなく、単独で流れるものでもない。それらは、互いに干渉しあって流れ、遊技媒体１０７を補給シュート１０３に供給したり、循環しりする。【００７８】  尚、本発明の水平搬送装置１は、遊技機島上に水平に配置されているが、若干の傾斜を設けても良い。この場合には、遊技媒体１０７の搬送量が増加する。【００７９】  また、この発明において、補給ケース１０を長尺レール形状に形成したが、補給ケース１０、嵌合プレート８０、該嵌合プレート８０の嵌合される回転ディスク並びに駆動装置３０の伝達ギアとアイドルギアを一定の個数に組合せユニット化（例えば、図４のように３組のユニット化）して、それらをジョイント等で連結し、長尺レール形状に構成することも可能である。当然、この場合にあっても、ガイドによって遊技媒体の搬送流を制御して、遊技媒体を搬送経路中に滞留させることなく効率的に遊技機に供給することができる。
【産業上の利用可能性】
【００８０】本発明は、パチンコ玉等球体の遊技媒体を搬送する水平搬送装置であるが、コイン等の搬送にも利用することができる。
【図面の簡単な説明】
【００８１】
【図１】本発明の実施例１に係わる水平搬送装置を示した要部概略平面図である。
【図２】本発明の実施例１に係わる水平搬送装置を示した要部概略正面図である。
【図３】本発明の実施例１に係わる水平搬送装置を示した要部概略側面図である。
【図４】本発明の実施例１に係わる要部平面図である。
【図５】本発明の実施例１に係わる水平搬送装置の回転ディスクとガイドの関係を示した分解斜視図である。
【図６】本発明の実施例に係わる水平搬送装置の回転ディスクとガイドと遊技媒体の搬送流を示した説明図である。
【図７】は、本発明の実施例１に係わるガイドを示した斜視図である。
【図８】本発明の実施例１に係わるガイドを示したもので、（ａ）は、平面図、（ｂ）は、正面図、（ｃ）は、側面図である。
【図９】は、本発明の実施例２に係わる水平搬送装置の回転ディスクとガイドの関係を示した分解斜視図である。
【図１０】は、本発明の実施例２に係わる水平搬送装置の回転ディスクとガイドと遊技媒体の搬送流を示した説明図である。
【図１１】本発明の実施例１に係わるガイドの変形例を示した正面図である。
【図１２】本発明の実施例３に係わるガイドを示した斜視図である。
【図１３】本発明の実施例３に係わる水平搬送装置の回転ディスクとガイドと遊技媒体の搬送流を示した説明図である。
【図１４】水平搬送装置を備えた一般的な遊技機島を示した説明図である。
【符号の説明】
【００８２】１…水平搬送装置
１００…遊技機島
１０１…補給タンク
１０２…遊技機
１０３…補給シュート
１０４…循環ホース
１０５…下タンク
１０６…研磨塔を兼ねる揚送装置
１０７…遊技媒体
１１０…遊技機島の枠体
１１１…遊技機の配設枠
１１２…水平搬送装置の架設空間
１０…補給レール
１１…底板
１２…側板
１３…取付片
１４…蓋
１５…スクリュー
１６…直角三角形状凸部
２０ａ、２０ｂ、２０ｃ、２０ｄ、２０ｅ…回転ディスク
２１…回転ディスクの回転軸
２２…円盤
２３…回転プレート
２４…スクリュー
２５…凹部
２６…凸部
３０…駆動装置
３１…直交軸ギアモータ
３２…出力軸
３３…駆動ギア
３４ａ、３４ｂ、３４ｃ、３４ｄ、３４ｅ…伝達ギア
３５ａ、３５ｂ、３５ｃ、３５ｄ…アイドルギア
３６…アイドルギアの回転軸
４０…（実施例１）のガイド
４４…バイパス流路
４９…（実施例２）のバイパス流路
５０…（実施例２）のガイド
６０…駆動装置３０の収納ケース
６１…底板
６２…側板
６３…取付凸部
６４…固定台座
６５…回転軸２１の軸受
６６…アイドルギア３５の軸受
７０…遊技媒体９の搬送経路
７１…底板
７２…側板
７５…軸受
７６…軸受
８０…回転ディスクの嵌合プレート
８１…嵌合凹部
８２…底面
８３…収納孔
８４…切り欠き
９０…（実施例３）のガイド
Ｒ１１〜Ｒ１５…実施例１の搬送流
Ｒ２１〜Ｒ２５…実施例２の搬送流
Ｒ３１〜Ｒ３４…実施例３の搬送流
【図１】
2005125029.tif 000003
【図２】
2005125029.tif 000004
【図３】
2005125029.tif 000005
【図４】
2005125029.tif 000006
【図５】
2005125029.tif 000007
【図６】
2005125029.tif 000008
【図７】
2005125029.tif 000009
【図８】
2005125029.tif 000010
【図９】
2005125029.tif 000011
【図１０】
2005125029.tif 000012
【図１１】
2005125029.tif 000013
【図１２】
2005125029.tif 000014
【図１３】
2005125029.tif 000015
【図１４】
2005125029.tif 000016